(57)【要約】      （修正有）【課題】容器と別の物品を用いることなく、容易に蓋を着脱することができ、容器から突出して邪魔になったり美観を損ねたりする器具を使用しないような蓋及び容器を提供する。【解決手段】開口部を備えた本体と、開口部を被覆する蓋板とからなる。蓋板はその本体側に開閉用突起部を有し、開閉用突起部を本体側から見た形状は、全体が開口部に納まるものであり、外周に第１の等脚台形の２つの脚辺に相当する２つの蓋側直線部分を有し、開口部を蓋板側から見た形状は、外周に第２の等脚台形の２つの脚辺に相当する２つの本体側直線部分を有する。第１の等脚台形の２つの脚辺の延長線が構成する角の大きさと、第２の等脚台形の２つの脚辺の延長線が構成する角の大きさとがほぼ等しく、蓋側直線部分を構成する部材及び本体側直線部分を構成する部材の少なくとも一方は弾性を有する。【選択図】図１
0003163431.tif 000002
【実用新案登録請求の範囲】
【請求項１】
内容物を収納・取出するための開口部を備えた本体と、
前記開口部を被覆する蓋板とからなり、
前記蓋板はその本体側に開閉用突起部を有し、
前記開閉用突起部を本体側から見た形状は、全体が前記開口部に納まるものであり、外周に第１の等脚台形の２つの脚辺に相当する２つの蓋側直線部分を有し、
前記開口部を蓋板側から見た形状は、外周に第２の等脚台形の２つの脚辺に相当する２つの本体側直線部分を有し、
前記第１の等脚台形の２つの脚辺の延長線が構成する角の大きさと、前記第２の等脚台形の２つの脚辺の延長線が構成する角の大きさとがほぼ等しく、
前記蓋側直線部分を構成する部材及び前記本体側直線部分を構成する部材の少なくとも一方は弾性を有し、
前記蓋板が前記開口部を被覆しているような蓋板の配置として、前記蓋側直線部分と前記本体側直線部分とが押し付けられて前記蓋板が前記本体に固定される閉位置の配置と、前記蓋側直線部分と前記本体側直線部分とが分離されて前記蓋板が前記本体から取外される開位置の配置とが可能であることを特徴とする、容器。
【請求項２】
前記開位置の配置は、前記閉位置の配置に対して前記第１の等脚台形の底辺に垂直な方向（開閉方向）に前記蓋板を移動させたものであり、
前記蓋板の前記開閉方向のサイズは前記本体の前記開口部を有する面（開口面）の前記開閉方向のサイズよりも大きく、
前記閉位置の配置において、前記開閉方向の閉位置側に前記蓋板が前記開口面から突出し、前記蓋板の該突出部分を押して前記蓋板を移動させることによって前記蓋板が前記開位置の配置に移動し、
前記移動後の開位置の配置において、前記開閉方向の開位置側に前記蓋板が前記開口面から突出し、前記蓋板の該突出部分を押して前記蓋板を移動させることによって前記蓋板が前記閉位置に移動することを特徴とする、請求項１に記載の容器。
【請求項３】
前記閉位置の配置において、前記開閉方向の開位置側には前記蓋板が前記開口面から突出せず、
前記移動後の開位置の配置において、前記開閉方向の閉位置側には前記蓋板が前記開口面から突出しないことを特徴とする、請求項２に記載の容器。
【請求項４】
前記本体及び前記蓋板が木製であり、
前記本体の部材である木がそのまま前記本体側直線部分を構成し、
前記蓋板の部材である木がそのまま前記蓋側直線部分を構成することを特徴とする、請求項１〜３のいずれか１項に記載の容器。
【請求項５】
前記蓋側直線部分を構成する部材及び前記本体側直線部分を構成する部材の少なくとも一方がゴムであることを特徴とする、請求項１〜３のいずれか１項に記載の容器。
【請求項６】
前記本体及び前記蓋板がプラスチック製又は金属製であり、
前記蓋側直線部分にゴムが付されたことを特徴とする、請求項５に記載の容器。
【請求項７】
請求項１〜６のいずれか１項に記載の容器である箸箱。
【請求項８】
請求項２または３に記載の容器である箸箱であって、
前記開閉方向は、収納される箸の長手方向であることを特徴とする、箸箱。
【請求項９】
前記本体及び前記蓋板が木製であり、
前記本体の部材である木がそのまま前記本体側直線部分を構成し、
前記蓋板の部材である木がそのまま前記蓋側直線部分を構成することを特徴とする、請求項８に記載の箸箱。
【請求項１０】
請求項１〜６のいずれか１項に記載の容器である弁当箱。
【請求項１１】
前記本体に、前記開閉用突起部の前記本体側の面の一部が接する蓋受け面を備えることを特徴とする、請求項１０に記載の弁当箱。
【請求項１２】
請求項１〜６のいずれか１項に記載の容器である筆箱。
【請求項１３】
請求項１〜６のいずれか１項に記載の容器であるジュエリーボックス。
【考案の詳細な説明】
【技術分野】
【０００１】
本考案は、箸箱、弁当箱、筆箱及びジュエリーボックスを含む携帯して持ち運ぶ容器に関するものである。
【背景技術】
【０００２】
収納用の容器本体と蓋とからなる容器を携帯して持ち運ぶ場合、携帯中に蓋が離脱して収納された内容物が散逸してしまうこと、例えば弁当箱から食物が散逸してしまうこと、を防止したい。
蓋の離脱を防止する方法としては、例えば弁当箱の蓋をゴムバンドで固定する等の、容器とは別の物品を用いる方法が広く用いられている。しかし、この方法ではゴムバンド等を紛失してしまうことがあり、その場合には蓋を固定できなくなってしまう。
【０００３】
容器とは別の物品を用いることなく蓋の離脱を防止するために、蓋の着脱に手数を要し偶発的な蓋の離脱を防止することも知られている。例えば、スライド式に着脱する箸箱の蓋であってスライド部分が箸箱全体の長さに相当するものがある。この方法によれば偶発的な蓋の離脱を防止することができるが、実際に蓋を開けようとする時にも箸箱全体の長さにわたってスライドさせる等の手数を要する。
【０００４】
蓋を固定する器具を容器の一部として有するものも知られている。例えば特許文献１には安全ロックを有する弁当箱が開示されている。この方法によれば上述の問題が解決する。しかし、蓋を固定する器具が容器から突出しているために、その部分が邪魔であったり、容器全体としての美観を損ねたりすることとなる。
【先行技術文献】
【特許文献】
【０００５】
【特許文献１】特開平７−１４９３５９号公報
【考案の概要】
【考案が解決しようとする課題】
【０００６】
解決しようとする問題点は、容器と別の物品を用いることなく、容易に蓋を着脱することができ、容器から突出して邪魔になったり美観を損ねたりする器具を使用しないような蓋及び容器を提供することである。
【課題を解決するための手段】
【０００７】
本考案は、蓋板に設けられた開閉用突起部により上記課題を解決する。
【０００８】
本考案の容器は、
内容物を収納・取出するための開口部を備えた本体と、
前記開口部を被覆する蓋板とからなり、
前記蓋板はその本体側に開閉用突起部を有し、
前記開閉用突起部を本体側から見た形状は、全体が前記開口部に納まるものであり、外周に第１の等脚台形の２つの脚辺に相当する２つの蓋側直線部分を有し、
前記開口部を蓋板側から見た形状は、外周に第２の等脚台形の２つの脚辺に相当する２つの本体側直線部分を有し、
前記第１の等脚台形の２つの脚辺の延長線が構成する角の大きさと、前記第２の等脚台形の２つの脚辺の延長線が構成する角の大きさとがほぼ等しく、
前記蓋側直線部分を構成する部材及び前記本体側直線部分を構成する部材の少なくとも一方は弾性を有し、
前記蓋板が前記開口部を被覆しているような蓋板の配置として、前記蓋側直線部分と前記本体側直線部分とが押し付けられて前記蓋板が前記本体に固定される閉位置の配置と、前記蓋側直線部分と前記本体側直線部分とが分離されて前記蓋板が前記本体から取外される開位置の配置とが可能であることを特徴とする。
蓋側直線部分と本体側直線部分とは等脚台形の２つの脚辺に相当する部分であり、これら２つの等脚台形の２つの脚辺の延長線が構成する角の大きさがほぼ等しいので、蓋側直線部分と本体側直線部分とが互いに接するように、すなわち点でなくて線で接するように、配置することができる。なお、２つの等脚台形の２つの脚辺の延長線が構成する角の大きさは厳密に等しいことが好ましいが、蓋側直線部分を構成する部材及び本体側直線部分を構成する部材の少なくとも一方は弾性を有するので、かかる弾性によって線で接するようにできれば、厳密に等しくなくて「ほぼ」等しいことであってもよい。
蓋を閉じる際には、蓋側直線部分と本体側直線部分とを押し付けるように、蓋財を閉位置の配置にする。蓋側直線部分と本体側直線部分とが押し付けられると、蓋側直線部分と本体側直線部分の少なくとも一方が弾性によって変形し押し付けられた部分に応力が発生する。かかる応力に基づく静止摩擦力によって蓋板が本体から離脱しなくなり、固定される。ここで、「弾性」とは圧力によって部材が収縮する性質を言う。部材は、ゴムのように大きく収縮するものであっても、木のように小さく収縮するものであってもよい。蓋板を固定するために必要な静止摩擦力が発生するものであれば、部材の種類は限定されない。
なお、かかる応力を効率的に発生させるため、等脚台形の２つの脚辺の延長線が構成する角は一方の脚辺に発生した応力が開閉用突起部を介して他方の脚辺に伝わるような９０度以下、好ましくは２０度以下であるべきである。
蓋を開く際には、発生している静止摩擦力よりも大きな力で蓋板を引くこと、又は、蓋板を開位置の配置に移動させることによって開くことができる。蓋を開くために手数を要することはない。
蓋を閉じた状態において、開閉用突起部は容器の外部に現れない。本考案においては開閉用突起部が蓋を固定する器具であるが、容器の外部に現れて邪魔になることも、容器全体の美観を損ねることもない。
【０００９】
本考案の容器は、
前記開位置の配置は、前記閉位置の配置に対して前記第１の等脚台形の底辺に垂直な方向（開閉方向）に前記蓋板を移動させたものであり、
前記蓋板の前記開閉方向のサイズは前記本体の前記開口部を有する面（開口面）の前記開閉方向のサイズよりも大きく、
前記閉位置の配置において、前記開閉方向の閉位置側に前記蓋板が前記開口面から突出し、前記蓋板の該突出部分を押して前記蓋板を移動させることによって前記蓋板が前記開位置の配置に移動し、
前記移動後の開位置の配置において、前記開閉方向の開位置側に前記蓋板が前記開口面から突出し、前記蓋板の該突出部分を押して前記蓋板を移動させることによって前記蓋板が前記閉位置に移動することを特徴とする。
蓋側直線部分と本体側直線部分とは等脚台形の２つの脚辺に相当する部分であるので、蓋側直線部分と本体側直線部分とが押し付けられた閉位置の配置から蓋板（蓋側直線部分）を等脚台形の下底方向に移動させることで、蓋側直線部分と本体側直線部分とが分離して開位置の配置となる。
このような移動は、蓋板を押すことによって行い得る。この際、押されるべき蓋板の部分が本体から突出していれば、押すべき位置が分かりやすく、また、押す際に本体が邪魔にならないので便利である。
開位置の配置から閉位置の配置への移動についても同様に、押されるべき蓋板の部分が本体から突出していることで便利になる。
【００１０】
本考案の容器は、
前記閉位置の配置において、前記開閉方向の開位置側には前記蓋板が前記開口面から突出せず、
前記移動後の開位置の配置において、前記開閉方向の閉位置側には前記蓋板が前記開口面から突出しないことを特徴とする。
押して操作することのない部分が突出していないことで、どの部分を操作するかが分かりやすくなる。
【００１１】
本考案の容器は、
前記本体及び前記蓋板が木製であり、
前記本体の部材である木がそのまま前記本体側直線部分を構成し、
前記蓋板の部材である木がそのまま前記蓋側直線部分を構成することを特徴とする。
木製の容器は、独特の味わいがあり、広い人気を有している。本考案の容器は、弾性を必要とする蓋側直線部分及び本体側直線部分を含み、全てを木製とすることができる。木の持つ弾性によって本考案の目的が実現できるからである。
【００１２】
本考案の容器は、
前記蓋側直線部分を構成する部材及び前記本体側直線部分を構成する部材の少なくとも一方がゴムであることを特徴とする。
ゴムには十分な弾性があるので、任意の他の部材と組み合わせて本考案の容器の蓋側直線部分及び本体側直線部分を構成することができる。
【００１３】
本考案の容器は、
前記本体及び前記蓋板がプラスチック製又は金属製であり、
前記蓋側直線部分にゴムが付されたことを特徴とする。
プラスチック及び金属は成型加工が容易であり、容器を作成するために用いやすい。本体及び蓋板をプラスチック製又は金属製として、容易に本考案の容器を作成することができる。
また、蓋側直線部分にゴムが付されており、本体側直線部分を含む本体にはゴムが付されていない。例えば、弁当箱において、食物を入れる本体側にゴムが付されていないことでゴムの部分に食物がこびりつくことがない。
【００１４】
本考案の容器は、箸箱又は弁当箱の形状に製作して使用できる。また、筆箱、メガネケース等として使用することもできる。更に、必ずしも携帯して用いるものではないが、ジュエリーボックスとして使用することもできる。
【００１５】
本考案の箸箱は、
前記開閉方向は、収納される箸の長手方向であることを特徴とする。
箸箱の蓋としては、開閉の際に箸の長手方向に移動させるものが多い。本考案の蓋板も箸の長手方向に移動させて開閉させることができる。
【００１６】
本考案の箸箱は、
前記本体及び前記蓋板が木製であり、
前記本体の部材である木がそのまま前記本体側直線部分を構成し、
前記蓋板の部材である木がそのまま前記蓋側直線部分を構成することを特徴とする。
全部が木製の箸箱を作成できる。
【００１７】
本考案の弁当箱は、
前記本体に、前記開閉用突起部の前記本体側の面の一部が接する蓋受け面を備えることを特徴とする。
弁当箱は、蓋をはずした状態で本体に食物を詰める。本考案の容器を弁当箱として用いる場合には、本体に満杯に食物を詰めることは好ましくない。蓋をする際に開閉用突起部が本体内に入る余地を残すことが好ましい。蓋受け面によって、食物を好ましく詰める場合の最上縁が分かり、好ましい詰め方を確実にできる。
【００１８】
本考案の筆箱は、本考案の容器の一種である。蓋板を筆箱本体から分離できるので、蓋板をはずした状態の筆箱本体をペントレーのように使用することができる。また、蓋板を筆箱本体の下に置いて筆箱本体をペントレーのように使用することもでき、蓋板を紛失してしまう可能性を小さくすることができる。
【００１９】
本考案のジュエリーボックスは、本考案の容器の一種である。ジュエリーボックスは必ずしも携帯して使用するものではないが、例えばパーティの会場で装着するための指輪やネックレスをバッグに入れて運搬する場合には、その指輪やネックレスを入れたジュエリーボックスを携帯する。また、指輪やネックレスをプレゼントする際に、本考案のジュエリーボックスに入れてプレゼントし、楽しみを増すこともできる。
【考案の効果】
【００２０】
本考案の容器は、容器と別の物品を用いることなく、容易に蓋を着脱することができ、容器から突出して邪魔になったり美観を損ねたりする器具を使用しない。
【図面の簡単な説明】
【００２１】
【図１】図１は、本考案に係る容器の例を示す図である。（実施例１）
【図２】図２は、閉状態の配置及び開状態の配置を示す図である。（実施例１）
【図３】図３は、本考案に係る箸箱の例を示す図である。（実施例２）
【図４】図４は、閉状態の配置及び開状態の配置における本体と蓋板との位置関係を示す図である。（実施例２）
【図５】図５は、本考案に係る弁当箱の例を示す図である。（実施例３）
【図６】図６は、蓋受け面を示す断面図である。（実施例３）
【考案を実施するための形態】
【００２２】
本考案の原理を示す実施例１、箸箱の実施例２及び弁当箱の実施例３を示す。
【実施例１】
【００２３】
図１は、本考案に係る容器の例を示す図である。
直方体状の本体１を上部から見ると開口部１１が設けられている。開口部１１の上端は、開口面１２になる。開口部１１は等脚台形の形状であり、２つの脚辺の部分が本体側直線部分１３である。
蓋板２には開閉用突起部２１が設けられている。開閉用突起部２１は等脚台形の形状であり、２つの脚辺の部分が蓋側直線部分２２である。
上記２つの等脚台形のそれぞれの２つの脚辺の延長線が構成する角の大きさは等しく（本体側直線部分１３と蓋側直線部分２２との図における傾きが等しく）、本体側直線部分１３と蓋側直線部分２２とは互いに接することができる。
【００２４】
図２は、閉状態の配置及び開状態の配置を示す図である。
蓋板２を、開閉用突起部２１が開口部１１に入るようにして本体１にかぶせる。開閉用突起部２１は開口部１１よりも小さく開口部１１に納まる形状なので、このようにかぶせた時に、蓋板２を開口面１２に平行に動かすことができる。蓋板２の配置を変えることができる。
図の左側は、閉位置の配置である。本体側直線部分１３と蓋側直線部分２２とが互いに接し、押し付けられている。本体側直線部分１３及び蓋側直線部分２２は弾性を持っており、押し付けられて変形し、応力が発生する。かかる応力に基づく静止摩擦力によって蓋板２が本体１から離脱しなくなり、固定される。
図の右側は、開位置の配置である。本体側直線部分１３と蓋側直線部分２２とは接していない。応力及び静止摩擦力は発生せず、蓋板２が本体１から取外されている。
図の中央の両向き矢印は、開閉方向３を表す。開閉方向３に蓋板２を移動させることにより、開状態の配置と閉状態の配置とを切り替えることができる。
【実施例２】
【００２５】
図３は、本考案に係る箸箱の例を示す図である。
この箸箱は、本体１及び蓋板２がすべて木製である。
図の左側は、本体１を開口面側から見た図である。開口部１１には等脚台形の脚辺に相当する本体側直線部１３が設けられているが、開口部１１全体の形状は等脚台形ではない。等脚台形の上底及び下底に相当する部分は円形の膨らみを持っている。上底及び下底に相当する部分は蓋板２を固定させるための応力を発生せず、任意の形状とできる。
図の右側は、蓋板２を開閉用突起部２１側から見た図である。開閉用突起部２１の形状は等脚台形である。蓋板２を本体１に固定する仕組みは実施例１と同様である。開閉方向は、図の上下方向、すなわち箸箱に入れる箸の長手方向である。
【００２６】
図４は、閉状態の配置及び開状態の配置における本体と蓋板との位置関係を示す図である。図における本体１及び蓋板２の上下方向は、図３と一致している。
図の左側は、閉状態の配置における本体と蓋板との位置関係を示す図である。蓋板２は図の下方に配される。蓋板２の下端は開口面１２から突出して、突出部２３ａがある。突出部２３ａを上方に押すことにより、蓋板２を開状態の配置に移動することができる。
図の右側は、開状態の配置における本体と蓋板との位置関係を示す図である。蓋板２は図の上方に配される。蓋板２の上端は開口面１２から突出して、突出部２３ｂがある。突出部２３ｂを下方に押すことにより、蓋板２を閉状態の配置に移動することができる。
【実施例３】
【００２７】
図５は、本考案に係る弁当箱の例を示す図である。
この弁当箱は、本体１及び蓋板２が容易に製作できるプラスチック製である。蓋側直線部分には、ゴム２４を接着して弾力性を持たせている。
図の左側は、本体１を開口面側から見た図である。等脚台形の形状の開口部１１があり、その奥（開口面よりも本体の内側）に蓋受け面１４が設けられている。
図の右側は、蓋板２を開閉用突起部２１側から見た図である。開閉用突起部２１の形状は等脚台形である。開閉用突起部２１の蓋側直線部分にはゴム２４が接着されている。ゴム２４の弾性により、プラスチック製の本体側直線部分に弾性がなくても実施例１と同様の仕組みによって蓋板２が本体１に固定される。
【００２８】
図６は、蓋受け面を示す断面図である。図５におけるＡ−Ａ線の断面図である。
蓋受け面１４は、開口面１２よりも開閉用突出部２１の厚みの分だけ本体１の内側に設けられている。蓋板２を本体１にかぶせた時には蓋受け面１４と開閉用突出部２１とが接する。
弁当箱に食物を詰める際には、本体１の底部から蓋受け面１４の高さまでに詰めることで、食物が開閉用突出部２１によって押しつぶされることがないようにできる。
【産業上の利用可能性】
【００２９】
容器と別の物品を用いることなく、容易に蓋を着脱することができ、容器から突出して邪魔になったり美観を損ねたりする器具を使用しないような容器であり、多くの消費者及び容器作成会社による活用が考えられる。
【符号の説明】
【００３０】
１    本体
１１  開口部
１２  開口面
１３  本体側直線部分
１４  蓋受け面
２    蓋板
２１  開閉用突起部
２２  蓋側直線部分
２３  突出部分
２４  ゴム
３    開閉方向
【図１】
0003163431.tif 000003
【図２】
0003163431.tif 000004
【図３】
0003163431.tif 000005
【図４】
0003163431.tif 000006
【図５】
0003163431.tif 000007
【図６】
0003163431.tif 000008